(57)【要約】【課題】縦横の枠を格子状に組む法枠において、迅速、経済的に施工すること。【解決手段】縦枠と横枠の交差する交点に、縦鉄筋と直交する方向に配置した縦鉄筋を取り付ける縦鉄筋支持部材と、横鉄筋と直交する方向に配置した横鉄筋を取り付ける横鉄筋支持部材とを備えた鉄筋架台を配置し、鉄筋架台の間にコンクリートを吹き付ける。【選択図】        図１
2006104802.tif 000002
【特許請求の範囲】
【請求項１】
コンクリート製の縦枠と横枠によって構成する法枠において、
縦枠と横枠の交差する交点に配置する法枠構築部材であって、
縦鉄筋と直交する方向に配置した縦鉄筋を取り付ける縦鉄筋支持部材と、
横鉄筋と直交する方向に配置した横鉄筋を取り付ける横鉄筋支持部材とを備えた鉄筋架台によって構成した、
法枠構築部材。
【請求項２】
コンクリート製の縦枠と横枠によって構成する法枠の構築方法において、
縦枠と横枠の交差する交点に、鉄筋架台を配置し、
ひとつの鉄筋架台と隣接する鉄筋架台の間には横枠用型枠を配置し、
上記の鉄筋架台は、
縦枠用の縦鉄筋と
横枠用の横鉄筋を取り付ける架台であって、
縦鉄筋と直交する方向に配置してあり、縦鉄筋を取り付ける縦鉄筋支持部材と、
横鉄筋と直交する方向に配置してあり、横鉄筋を取り付ける横鉄筋支持部材とを備えており、
上記の横枠用型枠は
横枠の山側面を形成する板体と、横枠の谷側面を形成する金網とを水平材で連結して構成し、
この水平材には、横鉄筋を固定し、
縦鉄筋、横鉄筋に沿ってコンクリートを吹き付けて行う、
法枠の構築方法。
【発明の詳細な説明】
【技術分野】
【０００１】
本発明は、法枠の構築部材と構築方法に関するものである。
【背景技術】
【０００２】
法面の崩壊を防止し、植生を施すために、コンクリート製の縦枠と横枠とを格子状に配置する法枠工法が広く採用されている。
【発明の開示】
【発明が解決しようとする課題】
【０００３】
これらの法枠においては、縦枠と横枠とを格子状に組む構造であるから、特に交点の型枠の組み立てが複雑になる。
この交点の型枠の組み立てが容易であるか否かが、法枠構築の経済性に大きく影響している。
【課題を解決するための手段】
【０００４】
上記のような課題を解決するために、本発明の法枠構築部材はコンクリート製の縦枠と横枠によって構成する法枠において、縦枠と横枠の交差する交点に配置する法枠構築部材であって、縦鉄筋と直交する方向に配置した縦鉄筋を取り付ける縦鉄筋支持部材と、横鉄筋と直交する方向に配置した横鉄筋を取り付ける横鉄筋支持部材とを備えた鉄筋架台によって構成した、法枠構築部材を特徴としたものである。
さらに本発明の法枠の構築方法は、コンクリート製の縦枠と横枠によって構成する法枠の構築方法において、縦枠と横枠の交差する交点に、鉄筋架台を配置し、ひとつの鉄筋架台と隣接する鉄筋架台の間には横枠用型枠を配置し、上記の鉄筋架台は、縦枠用の縦鉄筋と横枠用の横鉄筋を取り付ける架台であって、縦鉄筋と直交する方向に配置してあり、縦鉄筋を取り付ける縦鉄筋支持部材と、横鉄筋と直交する方向に配置してあり、横鉄筋を取り付ける横鉄筋支持部材とを備えており、上記の横枠用型枠は横枠の山側面を形成する板体と、横枠の谷側面を形成する金網とを水平材で連結して構成し、この水平材には、横鉄筋を固定し、縦鉄筋、横鉄筋に沿ってコンクリートを吹き付けて行う、法枠の構築方法を特徴としたものである。
【発明の効果】
【０００５】
本発明の法枠の構築部材と構築方法は以上説明したようになるから、縦横の枠を格子状に組む法枠において、特に手数を要する交点の型枠の組み立てがきわめて簡単にでき、法枠を迅速、経済的に構築することができる。
【発明を実施するための最良の形態】
【０００６】
以下図面を参照にしながら本発明の好適な実施の形態を詳細に説明する。
【実施例】
【０００７】
＜１＞法枠の基本の構造。
まず法枠の基本構造を説明する。
法枠は図５に示すように、コンクリート製の横枠１と縦枠２を格子状に組み合わせて法面を抑え、格子の間隔には客土を投入して植物を植え付けて緑化を行う工法である。
横枠１の内部には横鉄筋５が、縦枠２の内部には縦鉄筋４が配置してあり、強度を維持している。
【０００８】
＜２＞法枠の構築部材。
上記のコンクリート製の縦枠２と横枠１によって格子状に構成する法枠を効率よく形成する構築部材について説明する。
【０００９】
＜３＞鉄筋架台３。
格子状の法枠は、多数の交点において縦枠２と横枠１とが交差する。
縦枠２、横枠１は長いコンクリートのブロックであるから、型枠の構造は比較的簡単である。
したがって前記したように法枠の構築においては、両枠が交差する交点部分の型枠をいかに効率よく形成するか、が重要な問題となっている。
そのために、本件発明では特殊な鉄筋架台３を使用する。
この鉄筋架台３は、縦鉄筋支持部材３１と、横鉄筋支持部材３２を具えている。
【００１０】
＜４＞縦鉄筋支持部材３１。
鉄筋架台３は縦横に鋼棒を組み合わせた架台である。
それらの鋼棒のひとつを縦鉄筋４と直交する方向に水平に配置して、縦鉄筋４を取り付ける縦鉄筋支持部材３１として構成する。
普通は縦鉄筋４は上下２段に配置するので、鉄筋架台３に高さの異なる位置に鋼棒を２段に水平に配置する。
構築に際しては、地表面に寝かした縦鉄筋４の上から鉄筋架台３をかぶせるようにして配置する。
したがって下段の縦鉄筋４は、地表面から引き上げて下段の縦鉄筋支持部材３１に下方から取り付ける構造である。
一方、上段の縦鉄筋４は、配置の終わった鉄筋架台３の上から設置すればよいから、上段の縦鉄筋支持部材３１は水平方向の鋼棒によって構成することができる。
なお、鉄筋架台３は鋼棒を組み立てた構造に限らず、金網、エキスパンドメタル、打ち抜き鋼板、格子枠、合成樹脂板、木製板など広く採用することができる。
【００１１】
＜５＞横鉄筋支持部材３２。
鉄筋架台３は縦横に鋼棒を組み合わせた架台である。
それらの鋼棒のひとつを横鉄筋５と直交する方向に配置して、横鉄筋５を取り付ける横鉄筋支持部材３２として構成する。
普通は横鉄筋５も上下２段に配置するので、鉄筋架台３には一定の長さを具えた鋼棒を横鉄筋支持部材３２として配置する。
図の実施例では鉄筋架台３を法面に設置した際に、横鉄筋支持部材３２は鉄筋架台３の低い側に設けてある。
しかし構築に際しては、横鉄筋５は配置の終わった鉄筋架台３の上から、あるいは側面から取り付ければよいのだから、鉄筋架台３を法面に配置した際に、横鉄筋支持部材３２は鉄筋架台３の高い側に設けておくことも可能である。
【００１２】
＜６＞横枠用型枠６。
横枠の山側面を形成する型枠が必要である。
そこで横枠の山側面を形成する型枠として、横枠の山側面を形成する板体６１と、横枠の谷側面を形成する金網６２とを水平材６３で連結して横枠用型枠６を形成する。
この水平材６３は、上下二段に取り付けて横枠の内部に設置する横鉄筋５の支持も兼ねるものである。
【００１３】
＜７＞鉄筋架台３の配置。
次に法枠の構築方法について説明する。
まず法面上に縦鉄筋４と横鉄筋５を寝かして敷設する。
次に、交点部分では、地表に寝かした縦鉄筋４を上から被せるような状態で、前記した鉄筋架台３を設置する。（図１）
そして地上に寝かした縦鉄筋４を持ち上げて細い番線などを使用して下段の横鉄筋支持部材３２に、その下から取り付けて固定する。
さらに、上段の横鉄筋支持部材３２には、その上から新たに縦鉄筋４を搭載して固定する。
なお、縦鉄筋４、横鉄筋５は適宜の位置で法面に打設したアンカー７に強固に拘束して移動を阻止する点は従来の工法と同様である。
【００１４】
＜８＞横枠用型枠６の設置。
次にほぼ同一高さで、水平方向に隣接する二箇所の鉄筋架台３の横枠用型枠６の板体６１を設置して固定する。（図３）
横枠用型枠６は、谷側に向けて水平材６３を介して金網６２が取り付けてあるので、この金網６２が横枠１の谷側の型枠となる。
板体６１と金網６２とを連結している水平材６３に、地表に寝かしてあった横鉄筋５を持ち上げて結束線によって取り付ける。
横枠用型枠６の金網６２側は、法面との高さの差が大きいから、作業員はそこから手を入れて横鉄筋５の取り付けを容易に行うことができる。
上段の横鉄筋５は、水平材６３の上から搭載して固定する。
なお、金網６２だけを独立させておき、水平材６３に後から取り付ける構成を採用することもできる。
縦鉄筋４と横鉄筋５の交差状態を説明すると図２のようになるが、図２は横枠用型枠６を省略した図である。
【００１５】
＜９＞足場板の取り付け。
法面は勾配を持っているから、横枠１の山側面を形成する板体６１の上端と、法面との間の距離は短くなる。
そこで、図４に示すように、両者の間に足場板８をほぼ水平に掛け渡すこともできる。
すなわち足場板８の谷側の縁を板体６１の上に搭載し、足場板８の山側の縁を法面に搭載する。
足場板８の谷側には、板の下縁に逆Ｕ字上の溝鋼を取り付けておけば、この溝鋼を板体６１の上縁から嵌合することができ、取り付けが確実となる。
ほぼ水平面を形成する足場板８を設置すると、作業のために便利であるだけではなく、吹き付けたコンクリートの飛散物が法面に付着することを阻止する役目も果たす。
【００１６】
＜１０＞コンクリートの吹きつけ。
縦鉄筋４の周囲、および横鉄筋５の周囲に、高圧でコンクリートを吹き付ける。
上の位置の鉄筋架台３と下の位置の鉄筋架台３の間には縦鉄筋４が露出しているが、その縦鉄筋４の上からコンクリートを吹き付けることによって縦鉄筋４を包囲する状態でカマボコ状にコンクリートを盛り上げることができる。
したがって上位置と下位置の鉄筋架台３の間には側面型枠がなくとも縦枠２を構成することができる。
もちろん上下の鉄筋架台３の間に、縦方向の側面型枠を設置してコンクリートを吹き付けることも可能である。
横枠１においてはその山側には板体６１が、谷側には金網６２が位置しているから、谷側からコンクリートを吹き付けることによって横枠１を形成することができる。
なお、谷側の金網６２の存在は不可欠ではなく、金網６２が存在しなくとも谷側からコンクリートを吹き付けることによって、ある程度の厚さを具えた横枠１を形成することも可能である。
こうして、交点を中心として内部に鉄筋を備えた縦横のコンクリート製の法枠が完成する。
【図面の簡単な説明】
【００１７】
【図１】本発明の法枠の鉄筋架台の実施例の説明図。
【図２】横枠と縦枠の交差部における鉄筋の配置状態の説明図。
【図３】横枠型枠の配置状態の側面から見た説明図。
【図４】足場板を取り付けた状態の説明図。
【図５】格子状に配置する法枠の全体の説明図。
【符号の説明】
【００１８】
１：横枠
２：縦枠
３：鉄筋架台
４：縦鉄筋
５：横鉄筋
６：横枠用型枠
【図１】
2006104802.tif 000003
【図２】
2006104802.tif 000004
【図３】
2006104802.tif 000005
【図４】
2006104802.tif 000006
【図５】
2006104802.tif 000007